(57)【特許請求の範囲】
【請求項１】
有底の気化筒と、この気化筒を加熱するヒータと、前記気化筒に燃油を吐出して燃油の液滴を当該気化筒に着床させるノズルと、このノズルに燃油を供給する電磁ポンプと、
前記電磁ポンプの動作を制御する燃油供給量を設定する燃焼制御装置と、を有し、前記気化筒に着床された液滴を気化して燃焼させる燃焼装置であって、
前記燃焼制御装置は、パルス波の駆動オンタイムおよび駆動周波数を制御して前記燃油供給量を設定し、
着火動作において、前記液滴が第１の着床領域に向けて着床するように、前記電磁ポンプに対して第１の駆動オンタイムを設定して前記燃油を吐出する第１の燃油供給ステップと、
前記第１の燃油供給ステップの後、前記第１の着床領域とは異なる第２の着床領域に向けて前記液滴が着床するように、前記電磁ポンプに対して第２の駆動オンタイムを設定して前記燃油を吐出する第２の燃油供給ステップと、
を含む処理を実行するものであり、
前記第１の着床領域は、前記ノズルから見て前記第２の着床領域よりも遠い位置であり、
前記第１の駆動オンタイムは、前記第２の駆動オンタイムよりも長く、
前記第１の燃油供給ステップにおける第１の駆動周波数は、前記第２の燃油供給ステップにおける第２の駆動周波数よりも低いこと、
を特徴とする燃焼装置。
【請求項２】
前記第１の燃油供給ステップにおける燃油供給量は、前記第２の燃油供給ステップにおける燃油供給量よりも大きいこと、
を特徴とする請求項１に記載の燃焼装置。
【請求項３】
前記気化筒の温度を検出する温度センサをさらに備え、
前記温度センサによって検出した前記気化筒の温度が所定の着火温度よりも低い場合に前記第１の燃油供給ステップと前記第２の燃油供給ステップを実行すること、
を特徴とする請求項１または請求項２に記載の燃焼装置。
【発明の詳細な説明】
【技術分野】
【０００１】
本発明は、燃焼装置に係り、特に、パルス波の駆動オンタイムおよび駆動周波数を制御して燃油供給量を設定する燃焼装置に関する。
【背景技術】
【０００２】
従来、石油ファンヒータは、着火時において、電磁ポンプから供給された燃油を気化して適正な混合気を生成するために、気化筒の温度を気化可能な温度まで上昇させてから着火する必要がある。
【０００３】
また、着火時には、着火後の燃焼が安定した通常燃焼時よりも混合気を濃くして、着火しやすく、着火直後の燃焼を安定させるために、着火モードを設定した燃焼装置が知られている（例えば、特許文献１）。
【０００４】
特許文献１に記載された燃焼制御装置は、着火モードでは、着火性と着火直後の燃焼を安定させるために、通常燃焼時よりも混合気を濃くして低中火力の３灯（駆動周波数が１２ＨＺで駆動オンタイムが６ｍｓｅｃ）で着火動作を行う。そして、着火が確認されたら遅延時間を計時して、気化筒等の温度を早く上昇させるために、火力を低中火力の３灯から大火力の４灯下（駆動周波数が１５ＨＺで駆動オンタイムが６ｍｓｅｃ）に変更する。
【０００５】
つまり、特許文献１に記載された燃焼制御装置は、着火モードでは、駆動オンタイムを一定（６ｍｓｅｃ）にし、駆動周波数を制御（１２〜１５ＨＺ）して燃油供給量を増大させることで、着火性と着火直後の燃焼を安定させてから、通常燃焼の安定モード２灯（駆動周波数が２４ＨＺで駆動オンタイムが４ｍｓｅｃ）へ移行する。
【先行技術文献】
【特許文献】
【０００６】
【特許文献１】特開２００７−２１８５５９号公報（明細書の段落００１７から００２３、図３）
【発明の概要】
【発明が解決しようとする課題】
【０００７】
しかしながら、特許文献１に記載された燃焼制御装置は、着火性をよくして着火後の燃焼を安定させるために、着火モードでは、駆動周波数を高くして燃油供給量を増大させて混合気を濃くしているが、燃油供給量を増大させると増大させた燃油を気化させるために気化筒温度を十分に上昇させなければならないので、気化筒温度が上昇するまで待機しなければならず着火するまでに時間がかかるという問題があった。
【０００８】
本発明は、このような背景に鑑みてなされたものであり、着火するまでに要する時間を短縮することができる燃焼装置を提供することを課題とする。
【課題を解決するための手段】
【０００９】
前記課題を解決するため、請求項１に係る発明は、有底の気化筒と、この気化筒を加熱するヒータと、前記気化筒に燃油を吐出して燃油の液滴を当該気化筒に着床させるノズルと、このノズルに燃油を供給する電磁ポンプと、を有し、前記気化筒に着床された液滴を気化して燃焼させる燃焼装置であって、前記電磁ポンプの動作を制御する燃焼制御装置と、前記燃焼制御装置は、パルス波の駆動オンタイムおよび駆動周波数を制御して前記燃油供給量を設定し、着火動作において、前記液滴が第１の着床領域に向けて着床するように、前記電磁ポンプに対して第１の駆動オンタイムを設定して前記燃油を吐出する第１の燃油供給ステップと、前記第１の燃油供給ステップの後、前記第１の着床領域とは異なる第２の着床領域に向けて前記液滴が着床するように、前記電磁ポンプに対して第２の駆動オンタイムを設定して前記燃油を吐出する第２の燃油供給ステップと、を含む処理を実行するものであり、前記第１の着床領域は、前記ノズルから見て前記第２の着床領域よりも遠い位置であり、前記第１の駆動オンタイムは、前記第２の駆動オンタイムよりも長く、前記第１の燃油供給ステップにおける第１の駆動周波数は、前記第２の燃油供給ステップにおける第２の駆動周波数よりも低いこと、を特徴とする。
【００１０】
かかる構成により、本発明に係る燃焼装置は、前記第１の燃油供給ステップの後、前記第１の着床領域とは異なる第２の着床領域に向けて前記液滴が着床するように、前記燃油を吐出する第２の燃油供給ステップを含むことで、着火時において第１の着床領域から第２の着床領域まで燃油の着床領域を拡張してより広範囲に均等に燃油を着床させるため、気化筒に着床された燃油の気化をより促進させて気化効率を向上させることができる。
【００１１】
つまり、本発明に係る燃焼装置は、燃油の気化効率を促進させることで、気化筒の温度が低い温度でも燃油の気化を誘発させることができる。このため、第１の着床領域に集中して燃油を吐出する場合よりも、気化筒の温度が低い温度で着火させることができる。
【００１２】
また、前記電磁ポンプに対して第１の駆動オンタイム（パルス幅）とは異なる第２の駆動オンタイムを設定して、前記第１の着床領域とは異なる第２の着床領域に向けて前記液滴が着床するように前記燃油を吐出する。このため、本発明に係る燃焼装置は、駆動オンタイムを制御するという簡易な制御によって燃油の着床領域を適宜設定することができる。
【００１３】
このようにして、本発明に係る燃焼装置は、簡易な構成より気化筒における気化効率を向上させて、着火するまでに要する時間を短縮することができる。
【００１５】
また、前記第１の着床領域は、前記ノズルから見て前記第２の着床領域よりも遠い位置であることで、第２の駆動オンタイムよりも第１の駆動オンタイムを長くすることができる。駆動オンタイム（パルス幅）を長くすれば、電磁ポンプの吐出ストロークを増大させて遠い着床領域まで燃油を吐出することができる。
【００１７】
また、前記第１の駆動オンタイムは前記第２の駆動オンタイムよりも長く、第１の駆動周波数は第２の駆動周波数よりも低いことで、第１の燃油供給ステップでは、燃油を遠い着床領域まで吐出しながら、燃油供給量を適正に抑制することができる。
また、第２の燃油供給ステップでは、燃油を近い着床領域に吐出しながら、燃油供給量を適正に制御して安定した燃焼を確保することができる。
【００１８】
本発明の請求項２に係る発明は、請求項１に記載の燃焼装置であって、前記第１の燃油供給ステップにおける燃油供給量は、前記第２の燃油供給ステップにおける燃油供給量よりも大きいこと、を特徴とする。
【００１９】
請求項２に係る燃焼装置は、前記第１の燃油供給ステップにおける燃油供給量を大きくすることで、混合気の気化を促進して着火濃度に早く到達させて着火性を向上させるとともに、その後は前記第２の燃油供給ステップにおける燃油供給量を前記第１の燃油供給ステップにおける燃油供給量よりも小さくして安定した適正な混合比に到達させて維持することができる。
このため、請求項２に係る燃焼装置は、より着火性よくして着火後の燃焼を安定させることができる。
【００２０】
本発明の請求項３に係る発明は、請求項１または請求項２に記載の燃焼装置であって、前記気化筒の温度を検出する温度センサをさらに備え、前記温度センサによって検出した前記気化筒の温度が所定の着火温度よりも低い場合に前記第１の燃油供給ステップと前記第２の燃油供給ステップを実行すること、を特徴とする。
【００２１】
請求項３に係る燃焼装置は、前記気化筒の温度が所定の着火温度よりも低い場合に前記第１の燃油供給ステップと前記第２の燃油供給ステップを実行することで、低温時における着火性を向上させ、気化筒の温度が所定の着火温度以上の場合には、例えば再燃焼時には混合気が濃くなりすぎないように気化筒の温度に合わせて適正に制御することができる。
【発明の効果】
【００２２】
本発明は、着火するまでに要する時間を短縮し、かつ着火性および着火直後の燃焼を安定させることができる燃焼装置を提供することができる。
【図面の簡単な説明】
【００２３】
【図１】本発明の実施形態に係る燃焼装置の気化筒周りの構成を示す要部正面断面図である。
【図２】本発明の実施形態に係る燃焼装置の着火動作のモード選択を示すフローチャートである。
【図３】本発明の実施形態に係る燃焼装置の低温着火動作を示すタイムチャートである。
【図４】本発明の実施形態に係る燃焼装置の高温着火動作を示すタイムチャートである。
【図５】本発明の実施形態に係る燃焼装置の着火動作を模式的に示す正面断面図であり、（ａ）は低温着火動作の第１の燃油供給ステップを実行する様子、（ｂ）は低温着火動作の第２の燃油供給ステップを実行する様子、（ｃ）は高温着火動作を実行する様子を示す。
【発明を実施するための形態】
【００２４】
本発明の実施形態に係る燃焼装置である石油ファンヒータ１を例として主に図１を参照しながら詳細に説明する。
石油ファンヒータ１は、図１に示すように、有底の気化筒２と、気化筒２を加熱するヒータ３と、気化筒２に燃油Ｎを吐出するノズル４と、燃油Ｎを貯留するタンク４１と、ノズル４に燃油Ｎを供給する電磁ポンプ５と、気化筒２に燃焼用の空気Ｋを送風する燃焼ファン６と、気化した燃油Ｎと空気Ｋの混合気に着火する着火装置８と、気化筒２の温度を検出する温度センサ３１と、電磁ポンプ５の動作を制御する燃焼制御装置９と、を備えている。
【００２５】
石油ファンヒータ１は、気化筒２にノズル４から吐出された燃油Ｎをヒータ３で加熱して気化させ、気化された燃油Ｎに燃焼ファン６によって燃焼用の空気Ｋを送風して燃油Ｎと空気Ｋを混合した混合気を生成する。この混合気に着火装置８で着火して高温の燃焼ガスを生成する。この高温の燃焼ガスを温風ファン（不図示）によって温風吹き出し口（不図示）から噴出して暖房する装置である。
【００２６】
なお、本実施形態においては、燃焼装置として石油ファンヒータ１について説明するが、これに限定されるものではなく、気化筒に着床された液滴を気化して燃焼させるその他の暖房装置や給湯装置についても同様に適用することができる。
【００２７】
気化筒２は、ポット状の形状をなし、底部でノズル４から吐出された燃油Ｎの液滴ｎが底部に着床すると、ヒータ３で加熱されて気化するようになっている。
ノズル４は、電磁ポンプ５から圧送された燃油Ｎを気化筒２に吐出して燃油Ｎの液滴ｎを気化筒２に着床させる。
なお、「液滴ｎ」の用語は、便宜上、ノズル４から吐出された燃油Ｎを表現するためのものであり、特に燃油Ｎの状態を特定する趣旨ではなく、ノズル４から吐出された燃油Ｎは、粒状、霧状、微粒子状等の種々の形態をなしたものでもよい。
【００２８】
電磁ポンプ５は、特に限定されるものではないので図示は省略するが、燃焼制御装置９から出力されるパルス波によって駆動され、プランジャー（不図示）を電磁作用によって往復移動させて燃油Ｎをノズル４に圧送する。
電磁ポンプ５からノズル４に供給される単位時間当たりの燃油Ｎの供給量を燃油供給量Ｑという。燃油供給量Ｑは、ノズル４から吐出する燃油Ｎの量を意味する。
【００２９】
着火装置８は、火花放電を発するイグナイタ等の点火装置であり、気化筒２の上部に配設されたバーナヘッド８１に形成された炎口８２から噴出される混合気に点火して燃焼させ火炎８３を生成する。
また、着火装置８は、着火したことを火炎８３によって検出するフレームロッド８４を備えているため、フレームロッド８４によって燃焼制御装置９は、正常に着火動作が完了したことを検出することができる。
【００３０】
燃焼制御装置９は、ヒータ３、燃焼ファン６、着火装置８等の動作を制御して着火動作や燃焼動作を制御する装置であり、電磁ポンプ５を駆動するパルス波の駆動オンタイムおよび駆動周波数を制御して燃油供給量Ｑを制御する。
【００３１】
駆動オンタイムは、電磁ポンプ５を駆動するパルス波の１パルスにおけるオン状態の時間幅（パルス幅）である。燃焼制御装置９によって、駆動オンタイムを制御することで、電磁ポンプ５のプランジャー（不図示）の１パルス当たりの駆動ストロークを調整することができる。
【００３２】
このため、許容範囲内で駆動オンタイムを長くすることで、電磁ポンプ５のプランジャー（不図示）の駆動ストロークを大きくして、１パルス当たりの燃油Ｎの吐出量を増加させることができる。駆動周波数が同じであれば、駆動オンタイムを長くすると燃油供給量Ｑも増加する。
一方、駆動オンタイムを短くすることで、電磁ポンプ５のプランジャー（不図示）の駆動ストロークを小さくして、１パルス当たりの燃油Ｎの吐出量を減少させることができる。駆動周波数が同じであれば、駆動オンタイムを短くすると燃油供給量Ｑも減少する。
【００３３】
駆動周波数は、電磁ポンプ５を駆動するパルス波の周波数（単位時間当たりのパルス波の数）である。燃焼制御装置９によって、駆動周波数を制御することで、電磁ポンプ５のプランジャー（不図示）の単位時間当たりの駆動ストローク数を調整することができる。
このため、許容範囲内で駆動周波数を高くすると燃油供給量Ｑが増大し、駆動周波数を低くすると燃油供給量Ｑが減少する。
【００３４】
以上のように構成された本発明の実施形態に係る石油ファンヒータ１の動作について主として図２から図５を参照しながら説明する。
図２に示すように、燃焼制御装置９は、運転スイッチ（不図示）がオンにされて運転を開始してから、低温着火モード（図３、図５（ａ）と（ｂ）参照）、または高温着火モード（図４、図５（ｃ）参照）を選択して実行する。
【００３５】
具体的には、燃焼制御装置９は、運転スイッチ（不図示）がオンにされると（Ｓ１）、温度センサ３１（図１参照）によって検出した気化筒２の温度（ポット温度）がθ３（例えば、１８０℃）よりも低い場合には（Ｓ２でＮｏ）、低温着火モード（図３、図５（ａ）と（ｂ）参照）を実行し（Ｓ３）、気化筒２の温度がθ３（例えば、１８０℃）以上の場合には（Ｓ２でＹｅｓ）、高温着火モード（図４、図５（ｃ）参照）を実行する（Ｓ４）。
低温着火モード（図３、図５（ａ）と（ｂ）参照）、および高温着火モード（図４、図５（ｃ）参照）は、それぞれ所定の待機動作と、着火動作と、を実行する。
【００３６】
〈低温着火モード〉
低温着火モードにおける待機動作と着火動作について、主として図３と図５の（ａ）と（ｂ）を参照しながら説明する。参照する図３は、上から順に、気化筒２の温度θ（ポット温度）の時系列における推移、燃油供給量Ｑ（ノズル４から吐出する燃油Ｎの量）の時系列における推移、および燃焼ファン６の回転速度（単位時間当たりの回転数）の時系列における推移を示す。図５の（ａ）は、第１の燃油供給ステップＬＶ１における燃油の吐出イメージ、（ｂ）は第２の燃油供給ステップＬＶ２における燃油の吐出イメージを示す。
【００３７】
図３に示すように、待機動作は、運転スイッチ（不図示）がオンにされて運転を開始してから、ヒータ３（図１参照）によって気化筒２が点火可能な温度まで上昇する時まで待機する気化筒２の昇温動作である（時刻ｔ０〜ｔ１）。
着火動作は、着火装置８によって混合気に点火してから安定した火炎８３（図１参照）を生成するまでの動作であり（時刻ｔ１〜ｔ３）、待機動作（時刻ｔ０〜ｔ１）の終了後、通常運転（時刻ｔ３〜）に移行するまでの動作である。
通常運転は、着火動作の完了後、使用者によって設定された暖房温度まで上昇させる動作である（時刻ｔ３〜）。
【００３８】
具体的には、燃焼制御装置９（図１参照）は、運転スイッチ（不図示）がオンにされると、ヒータ３をオンにして（時刻ｔ０）、温度センサ３１（図１参照）によって検出した気化筒２の温度がθ２（例えば、１３０℃）になると（時刻ｔ１）、着火装置８が点火動作（イグナイタ放電）を開始する（図３の下段参照）。
点火動作と同時に、燃焼制御装置９は、図３の中段に示すように、電磁ポンプ５を駆動して気化筒２に燃油Ｎを吐出する第１の燃油供給ステップＬＶ１（時刻ｔ１〜ｔ２、図５（ａ）参照）と第２の燃油供給ステップＬＶ２（時刻ｔ２〜ｔ３、図５（ｂ）参照）と実行する。
燃焼制御装置９は、図３の下段に示すように、着火動作（時刻ｔ１〜ｔ３）では、燃焼ファン６（図１参照）は、所定の低回転で一定に制御する。つまり、第１の燃油供給ステップＬＶ１（時刻ｔ１〜ｔ２、図５（ａ）参照）から第２の燃油供給ステップＬＶ２（時刻ｔ２〜ｔ３、図５（ｂ）参照）まで燃焼ファン６は一定の回転速度で維持されている。
【００３９】
第１の燃油供給ステップＬＶ１は、液滴ｎ１が第１の着床領域であるノズル４から見て遠い位置に向けて着床するように燃油Ｎを吐出するステップである（図５（ａ）参照）。
例えば、第１の燃油供給ステップＬＶ１では、燃焼制御装置９（図１参照）は、電磁ポンプ５に対して第１の駆動オンタイム（例えば、２０ｍｓｅｃ）を設定し、駆動周波数を例えば、５Ｈｚで設定して、動作時間を２秒間として燃油Ｎを吐出する（時刻ｔ１〜ｔ２）。
【００４０】
第２の燃油供給ステップＬＶ２は、第１の燃油供給ステップＬＶ１の後、液滴ｎ２が第１の着床領域とは異なる第２の着床領域であるノズル４から見て近い位置に向けて着床するように燃油Ｎを吐出するステップである（図５（ｂ）参照）。
例えば、第２の燃油供給ステップＬＶ２では、燃焼制御装置９（図１参照）は、電磁ポンプ５に対して第２の駆動オンタイム（例えば、５ｍｓｅｃ）を設定し、駆動周波数を例えば、２０Ｈｚで設定して、動作時間を１３秒間として燃油Ｎを吐出する（時刻ｔ２〜ｔ３）。
【００４１】
第１の燃油供給ステップＬＶ１は、第２の燃油供給ステップＬＶ２よりも遠い位置に燃油Ｎを吐出するために、第１の駆動オンタイム（例えば、２０ｍｓｅｃ）が第２の駆動オンタイム（例えば、５ｍｓｅｃ）よりも長く設定されている。
このとき、駆動オンタイムを長くすることで、１パルス当たりの燃油Ｎ（図５（ｂ）参照）の吐出量が増えるので、第１の燃油供給ステップＬＶ１における駆動周波数（例えば、５Ｈｚ）は、第２の燃油供給ステップＬＶ２における駆動周波数（例えば、２０Ｈｚ）よりも低く設定するのが望ましい。
【００４２】
燃焼制御装置９は、図５（ｂ）に示すように、低温着火モードにおいて、第１の燃油供給ステップＬＶ１における吐出量と第２の燃油供給ステップＬＶ２における吐出量とを同程度に制御することで、気化筒２の底部に広範囲に均等に燃油Ｎを着床させる。
また、第１の燃油供給ステップＬＶ１の動作時間（例えば、２秒間）を第２の燃油供給ステップＬＶ２の動作時間（例えば、１３秒間）よりも短く設定することで、着火動作の初めに相対的に燃油Ｎ（図５（ｂ）参照）の吐出量を多くして気化を促進させる。
【００４３】
また、第１の燃油供給ステップＬＶ１から第２の燃油供給ステップＬＶ２まで、燃焼ファン６（図１参照）の回転速度は低回転で一定で維持されていることで、燃焼用の空気Ｋの供給量は相対的に第１の燃油供給ステップＬＶ１の方が第２の燃油供給ステップＬＶ２よりも少ないため、着火動作の初めに着火に適した濃い混合気を迅速に生成する。
【００４４】
〈通常運転〉
燃焼制御装置９は、低温着火モードが完了し、フレームロッド８４によって安定した着火を確認すると（時刻ｔ３）、通常運転に移行する。通常運転では、使用者の要求に応じて適宜所定の燃焼動作を実行する。通常運転では、気化筒２の温度をθ５〜θ６（℃）の範囲で管理するため、気化筒２の温度がθ６になるとヒータ３をオフにし（時刻ｔ４）、気化筒２の温度がθ５まで下がるとヒータ３をオンにする（時刻ｔ５）。通常運転は、着火動作に関して特に限定されるものではないので、詳細な説明は省略する。
【００４５】
〈高温着火モード〉
高温着火モードでは、図４に示すように、燃焼制御装置９は、運転スイッチ（不図示）がオンにされると、ヒータ３（図１参照）をオンにして（時刻ｔ０）、温度センサ３１（図１参照）によって検出した気化筒２の温度がθ４（例えば、２２５℃）になるまで待機動作を実行する（時刻ｔ０〜ｔ３）。
【００４６】
気化筒２の温度がθ４（例えば、２２５℃）になると（時刻ｔ３）、着火装置８が点火動作（イグナイタ放電）を開始する（図４の下段参照）。
点火動作と同時に、燃焼制御装置９は、図４の中段に示すように、着火動作を実行する。
着火動作（時刻ｔ３〜ｔ４）では、電磁ポンプ５（図１参照）に対して駆動オンタイムを例えば、７ｍｓｅｃに設定し、駆動周波数を例えば、１５．２Ｈｚで設定して、動作時間を１５秒間として燃油Ｎを吐出する。
【００４７】
このため、高温着火モードにおける着火動作ＬＶ３では、図５（ｃ）に示すように、液滴ｎ３が気化筒２の中央部に着床するように燃油Ｎを吐出する。
【００４８】
高温着火モードにおける駆動オンタイム（例えば、７ｍｓｅｃ）は、第１の燃油供給ステップＬＶ１における第１の駆動オンタイム（例えば、２０ｍｓｅｃ）よりも短く、第２の燃油供給ステップＬＶ２における第２の駆動オンタイム（例えば、５ｍｓｅｃ）よりも長く設定されている。
【００４９】
高温着火モードにおける駆動周波数（例えば、１５．２Ｈｚ）は、第１の燃油供給ステップＬＶ１における第１の駆動周波数（例えば、５Ｈｚ）よりも高く、第２の燃油供給ステップＬＶ２における第２の駆動オンタイム（例えば、２０Ｈｚ）よりも低く設定されている。
高温着火モードにおける着火動作時間（例えば、１５秒）は、低温着火モードにおける第１の燃油供給ステップＬＶ１の着火動作時間（２秒）と第２の燃油供給ステップＬＶ２の着火動作時間（１３秒）とを合計した着火動作時間（２秒＋１３秒＝１５秒）と同じである。
【００５０】
燃焼制御装置９は、図４の下段に示すように、着火動作（時刻ｔ３〜ｔ４）では、燃焼ファン６（図１参照）を所定の低回転で一定に制御する。つまり、第１の燃油供給ステップＬＶ１における着火動作（時刻ｔ１〜ｔ３）と燃焼ファン６の回転動作自体は同じである。
【００５１】
このため、高温着火モードでは、燃焼用の空気Ｋの供給量は、低温着火モード（図３参照）における着火動作における供給量と同じであるが、燃油供給量Ｑ（図１参照）は、低温着火モードにおける第１の燃油供給ステップＬＶ１（図３参照）よりも少ないため、低温着火モードにおける着火動作よりも相対的に薄い混合気を安定して生成するようになっている。
【００５２】
低温着火モード（図３参照）では、気化筒２の温度がθ３（例えば、１８０℃）よりも低いため、着火動作の初期では相対的に濃い混合気が適しているのに対して、高温着火モードでは、気化筒２の温度がθ３（例えば、１８０℃）以上であるため、低温着火モードよりも気化効率が高いので制御を簡素化して一定の安定した混合気にしたものである。
【００５３】
以上のように構成した本発明の実施形態に係る石油ファンヒータ１は、以下のような作用効果を奏する。
すなわち、低温着火モードを採用したことで、石油ファンヒータ１は、遠い位置である第１の着床領域（図５（ｂ）の液滴ｎ１参照）から近い着床領域である第２の着床領域（図５（ｂ）の液滴ｎ２参照）まで燃油Ｎの着床領域を拡張してより広範囲に均等に燃油Ｎを着床させるため、気化筒２に着床された燃油Ｎの気化をより促進させて気化効率を向上させることができる。
【００５４】
そして、燃油Ｎ（図１参照）の気化効率を促進させることで、石油ファンヒータ１は、気化筒２の温度が低い温度でも燃油Ｎの気化を誘発させることができる。このため、高温着火モードにおける着火動作ＬＶ３のように、液滴ｎ３が気化筒２の中央部に着床するように集中して燃油Ｎを吐出（図５（ｃ）参照）する場合よりも、待機動作時間を短縮して気化筒２の温度が低い温度（θ２）で点火することができる。
【００５５】
例えば、高温着火モードにおける着火動作ＬＶ３では、時刻ｔ３におけるθ４（例えば、２２５℃）で待機動作から着火動作に移行するのに対し（図４参照）、低温着火モードにおける着火動作ＬＶ１では、時刻ｔ１におけるθ２（例えば、１３０℃）で待機動作から着火動作に移行することができる。
【００５６】
このようにして、本発明の実施形態に係る石油ファンヒータ１は、駆動オンタイムと駆動周波数を制御するという簡易な構成からなる低温着火モード（図３参照）を採用したことで、気化筒２における気化効率を向上させて、着火装置８（図１参照）によって点火するまでに要する待機時間を短縮することができる。
【００５７】
一方、本発明の実施形態に係る石油ファンヒータ１は、気化筒２の温度がθ３（例えば、１８０℃）以上の場合には、高温着火モード（図４、図５（ｃ）参照）を実行することで、低温着火モードよりも薄い安定した混合気を生成して混合気が濃くなりすぎることを防止することができる。
【００５８】
以上、本発明の実施形態について説明したが、本発明は、前記した実施形態に限定されず、適宜変形して実施することが可能である。例えば、本実施形態においては、低温着火モードと高温着火モードを選択するようにしたが、これに限定されるものではなく、低温着火モードだけで構成してもよい。
【００５９】
本実施形態においては、低温着火モードにおいて、第１の燃油供給ステップＬＶ１では、液滴ｎ１がノズル４から見て遠い位置に向けて着床するように燃油Ｎを吐出し、第２の燃油供給ステップＬＶ２では、ノズル４から見て近い位置に向けて着床するように燃油Ｎを吐出したが、これに限定されるものではなく、第１の燃油供給ステップＬＶ１で近い位置に向けて着床するように燃油Ｎを吐出し、第２の燃油供給ステップＬＶ２で遠い位置に向けて着床するように燃油Ｎを吐出してもよい。また、第１の燃油供給ステップＬＶ１と第２の燃油供給ステップＬＶ２の２回ではなく、３回以上に分けて燃油Ｎを吐出してもよい。
【符号の説明】
【００６０】
１      石油ファンヒータ（燃焼装置）
２      気化筒
３      ヒータ
４      ノズル
５      電磁ポンプ
６      燃焼ファン
８      着火装置
９      燃焼制御装置
３１    温度センサ
Ｋ      燃焼用の空気
ＬＶ１  第１の燃油供給ステップ（低温着火モードにおける着火動作）
ＬＶ２  第２の燃油供給ステップ（低温着火モードにおける着火動作）
ＬＶ３  高温着火モードにおける着火動作着火動作
Ｎ      燃油
ｎ，ｎ１，ｎ２，ｎ３      液滴
【図１】
0006364370.tif 000002
【図２】
0006364370.tif 000003
【図３】
0006364370.tif 000004
【図４】
0006364370.tif 000005
【図５】
0006364370.tif 000006